(57)【要約】【課題】建物外壁出隅部の意匠性を向上させること。【解決手段】一対の長辺の一方に表側が切り欠かれた長辺表合いじゃくり部が、他方に裏側が切り欠かれた長辺裏合いじゃくり部がそれぞれ形成され、一対の短辺のうち少なくともいずれか一方に裏側が切り欠かれた短辺裏合いじゃくり部が形成される矩形板状の外壁パネルと、２つの前記外壁パネルを建物外壁の出隅部で接合するための接合用役物と、を有して構成される建物外壁の出隅構造であって、前記接合用役物は、前記接合される２つの外壁パネルの、前記短辺裏合いじゃくり部と、前記長辺裏合いじゃくり部と、の間に挿入される縦辺部を有して構成されるとともに、両外壁パネルの室内側に配置され、前記２つの外壁パネルは、長辺を略水平方向に、短辺を略鉛直方向に配置した一方の前記外壁パネルの前記短辺裏合いじゃくり部と、短辺を略水平方向に、長辺を略鉛直方向に配置した他方の前記外壁パネルの前記長辺裏合いじゃくり部と、を略直角に突き合わせて接合されて建物外壁の出隅部を構成する、建物外壁の出隅構造。【選択図】図１
2020125592.tif 000002
【特許請求の範囲】
【請求項１】
一対の長辺の一方に表側が切り欠かれた長辺表合いじゃくり部が、他方に裏側が切り欠かれた長辺裏合いじゃくり部がそれぞれ形成され、一対の短辺のうち少なくともいずれか一方に裏側が切り欠かれた短辺裏合いじゃくり部が形成される矩形板状の外壁パネルと、
２つの前記外壁パネルを建物外壁の出隅部で接合するための接合用役物と、を有して構成される建物外壁の出隅構造であって、
前記接合用役物は、前記接合される２つの外壁パネルの、前記短辺裏合いじゃくり部と、前記長辺裏合いじゃくり部と、の間に挿入される縦辺部を有して構成されるとともに、両外壁パネルの室内側に配置され、
前記２つの外壁パネルは、長辺を略水平方向に、短辺を略鉛直方向に配置した一方の前記外壁パネルの前記短辺裏合いじゃくり部と、短辺を略水平方向に、長辺を略鉛直方向に配置した他方の前記外壁パネルの前記長辺裏合いじゃくり部と、を略直角に突き合わせて接合されて建物外壁の出隅部を構成する、建物外壁の出隅構造。
【請求項２】
前記外壁パネルは、両方の短辺に短辺裏合いじゃくり部が形成される、請求項１に記載の建物外壁の出隅構造。
【請求項３】
前記縦辺部と、少なくとも一方の前記外壁パネルとの間には、シール材が配置される、請求項１または２に記載の建物外壁の出隅構造。
【発明の詳細な説明】
【技術分野】
【０００１】
本発明は、建物外壁の出隅構造に関する。
【背景技術】
【０００２】
従来の建物外壁の構成として、平板状の窯業系サイディングの外壁材を縦横に並べて構成する技術が知られている。特に建物の隅部においては、隅部の形状に合わせて、平面視で略Ｌ字型の隅部材が使用されていた。
【０００３】
特許文献１には、側端部に裏合いじゃくり部を形成した２つの平板状の外壁材で出隅部を構成する技術が提案されている。これにより、外壁の平面部も出隅部も平板状の外壁材で構成することができ、略Ｌ字型の隅部材を別途製作する場合に比べて製造コストが削減される。また、裏合いじゃくり部同士を接合することで２つの外壁材間に隅部隙間を介在させ、地震発生時等における外壁材の干渉による損傷を防止することができる。
【０００４】
しかしながら特許文献１の構造は横張り用の構成であり、外壁を縦張りの構成としたい際には使用できない。
【０００５】
また特許文献１の構造は、いずれの外壁材の正面視においても他方の外壁材の側端部が見える構成であるため、外壁材同士の継ぎ目が視認されやすく、出隅部の意匠性を損ねてしまうという課題がある。
【先行技術文献】
【特許文献】
【０００６】
【特許文献１】特開２０１６−１２１５２２号公報
【発明の概要】
【発明が解決しようとする課題】
【０００７】
本発明は上記に鑑みてなされたものであり、２つの平板状の外壁材で構成される出隅部において、縦張りの構成を可能とするとともに、勝ち側の外壁パネルの正面視において外壁パネルの継ぎ目が視認されず、意匠性が向上した建物外壁の出隅構造を提供することを目的とする。
【課題を解決するための手段】
【０００８】
（１）  本発明は、一対の長辺の一方に表側が切り欠かれた長辺表合いじゃくり部（例えば、後述の長辺表合いじゃくり部１１）が、他方に裏側が切り欠かれた長辺裏合いじゃくり部（例えば、後述の長辺裏合いじゃくり部１２）がそれぞれ形成され、一対の短辺のうち少なくともいずれか一方に裏側が切り欠かれた短辺裏合いじゃくり部（例えば、後述の短辺裏合いじゃくり部１３）が形成される矩形板状の外壁パネル（例えば、後述の外壁パネル１）と、２つの前記外壁パネルを建物外壁の出隅部で接合するための接合用役物（例えば、後述の出隅ジョイナー２）と、を有して構成される建物外壁の出隅構造（例えば、後述の出隅構造１００）であって、前記接合用役物は、前記接合される２つの外壁パネルの、前記短辺裏合いじゃくり部と、前記長辺裏合いじゃくり部と、の間に挿入される縦辺部（例えば、後述の縦辺部２１）を有して構成されるとともに、両外壁パネルの室内側に配置され、前記２つの外壁パネルは、長辺を略水平方向に、短辺を略鉛直方向に配置した一方の前記外壁パネルの前記短辺裏合いじゃくり部と、短辺を略水平方向に、長辺を略鉛直方向に配置した他方の前記外壁パネルの前記長辺裏合いじゃくり部と、を略直角に突き合わせて接合されて建物外壁の出隅部を構成する、建物外壁の出隅構造を提供する。
【０００９】
（２）  （１）の発明において、前記外壁パネルは、両方の短辺に短辺裏合いじゃくり部が形成されてもよい。
【００１０】
（３）  （１）または（２）の発明において、前記縦辺部と、少なくとも一方の前記外壁パネルとの間には、シール材が配置されてもよい。
【発明の効果】
【００１１】
本発明の外壁パネルを用いれば、建物外壁の出隅構造において、勝ち側の外壁パネル側から外壁パネルの継ぎ目が視認されず、建物外観の意匠性が向上する。
【図面の簡単な説明】
【００１２】
【図１】第１実施形態における建物外壁の第１出隅構造１００を模式的に示す図である。
【図２】本発明の外壁パネル１の水平方向の斜視図である。
【図３】本発明の外壁パネル１の水平方向の断面図である。
【図４】第１実施形態における建物外壁の第１出隅構造１００の一部を示す斜視図である。
【図５】第１実施形態における建物外壁の第１出隅構造１００を構成する手順を説明するための図である。
【図６】第２実施形態における建物外壁の第２出隅構造２００を模式的に示す図である。
【発明を実施するための形態】
【００１３】
以下、本発明の実施形態について説明するが、本発明は下記の実施形態に限定されるものではない。
【００１４】
＜第１実施形態＞
本発明の第１実施形態として、図１に示す建物外壁の第１出隅構造１００について、以下に説明する。
【００１５】
図１は、本実施形態にかかる建物外壁の第１出隅構造１００を模式的に示す図である。第１出隅構造１００は、長辺の一方に表側が切り欠かれた長辺表合いじゃくり部１１が、他方に裏側が切り欠かれた長辺裏合いじゃくり部１２がそれぞれ形成され、両方の短辺に裏側が切り欠かれた短辺裏合いじゃくり部１３が形成される矩形板状の外壁パネル１と、２つの外壁パネル１を建物外壁の出隅部で接合するための出隅ジョイナー２と、を有して構成される建物外壁の出隅構造である。
【００１６】
図２および図３は、外壁パネル１の斜視図および断面図である。より詳しくは、図２（ａ）は正面側斜視図であり、図２（ｂ）は裏面側斜視図である。また図３（ａ）は長辺を横断する断面図であり、図３（ｂ）は短辺を横断する断面図である。
図３に示すように、外壁パネル１において一対の長辺には、一方の辺に表側が切り欠かれた長辺表合いじゃくり部１１が、他方の辺に裏側が切り欠かれた長辺裏合いじゃくり部１２が形成される。また一対の短辺には両方に短辺裏合いじゃくり部１３が形成される。
長辺裏合いじゃくり部１２と、短辺裏合いじゃくり部１３は合いじゃくりの形状が異なり、長辺裏合いじゃくり部１２のほうがサネが長く形成される。
【００１７】
第１出隅構造１００において少なくとも２つの外壁パネル１は、長辺を略水平方向に、短辺を略鉛直方向に配置した横張りの外壁パネル１の短辺裏合いじゃくり部１３と、短辺を略水平方向に、長辺を略鉛直方向に配置した縦張りの外壁パネル１の長辺裏合いじゃくり部１２と、を略直角に突き合わせて接合されて建物外壁の出隅部を構成する。
【００１８】
横張りの外壁パネル１と縦張りの外壁パネル１は、同一形状のパネルであり、横張り外壁パネル１を９０度回転させて縦張りの外壁パネルとして使用する。図１および図５に示すように、各外壁パネルは建物の壁面において複数枚が縦横に繰り返し並べて配置され、その長辺において長辺表合いじゃくり部１１と長辺裏合いじゃくり部１２が接合用部品３によって、短辺において短辺裏合いじゃくり部１３と合いじゃくり部の形成されていない側端部とが、または短辺裏合いじゃくり部１３同士が、平面ジョイナー７，９によって別の外壁パネル１と連結される。
【００１９】
外壁パネル１は、建物外壁の出隅部および平面部のいずれにおいても併用して用いられるが、施工現場において出隅部に用いられる外壁パネル１は通常、切断によって寸法調整して使用される。工場から出荷される外壁パネル１の寸法は規格化されており、これを並べただけでは実際の建物外壁の寸法と一致させることは困難なためである。切断された外壁パネル１の切断端は略平面状であるため、別の外壁パネル１との接合には現場にて加工を行い短辺裏合いじゃくり部１３を形成するか、平面端に適応した平面ジョイナー７を用いて接合を行うことが好ましい。
【００２０】
接合用部品３および平面ジョイナー７，９は、建物内部構造の柱５１や胴縁６等にビス４で固定される。本実施形態において、平面ジョイナー７は２つの外壁パネル１の短辺裏合いじゃくり部１３と合いじゃくり部の形成されていない側端部とを、平面ジョイナー９は短辺裏合いじゃくり部１３同士を接合するために使用される。外壁パネル１を横方向に繰り返し並べていくと、接合用部品３を配置したい箇所に建物の柱５１が対応して位置しない事態が、特に縦張りを行う壁面について多く発生する。そのため外壁パネル１の取付施工にあたり、縦張りおよび横張りともに必要に応じて接合用部品３を固定する基礎として横胴縁６１を設けておくことが好ましい。
【００２１】
図４は、本実施形態の第１出隅構造１００の一部を示す斜視図である。
出隅部においては、横張りの外壁パネル１の短辺裏合いじゃくり部１３と、縦張りの外壁パネル１の長辺裏合いじゃくり部１２を略直角に突き合わせることで、建物外壁の出隅部が構成される。本実施形態においては、縦張りの外壁パネル１の長辺裏合いじゃくり部１２を勝ち側、横張りの外壁パネル１の短辺裏合いじゃくり部１３を負け側とする。これにより、縦張りの外壁パネル１の長辺裏合いじゃくり部１２のサネが長く形成されているために、横張りの外壁パネル１は、縦張りの外壁パネル１の正面視において、サネによって遮蔽されて視認できなくなる。すなわち、出隅部に外壁パネル１の継ぎ目が露出せず、建物外観の意匠性が向上する。
【００２２】
なお、外壁パネル１は両方の短辺に短辺裏合いじゃくり部１３が形成されていることでいずれの辺が出隅部に来ても出隅構造１００を構成することができるため、外壁パネル１の取り扱いが容易になり、壁面取付施工の作業性が向上する。詳しくは、片方の短辺に短辺裏合いじゃくり部１３が形成されていない場合、その短辺の端部は別の外壁パネル１の下辺に形成される短辺裏合いじゃくり部１３の負け側として第１出隅構造１００を構成することができないため、短辺裏合いじゃくり部１３が構成されている側を考慮して外壁パネル１を取り扱う必要がある。
【００２３】
本実施形態の第１出隅構造１００によれば建物外壁において、１種の外壁パネル１で壁面の方向によって異なる意匠性を発現することができる。例えば建物正面および裏面側を縦張りに、側面側の壁面を横張りにすることで、１種の外壁パネル１で建物の正面および裏面を縦張り様の意匠に、側面を横張り様の意匠に構成することができる。
【００２４】
また、一方の外壁パネル１の長辺裏合いじゃくり部１２のサネ裏面と、他方の外壁パネル１の合いじゃくり部１３の切り欠き部によって、両外壁パネルの間には隙間２４が形成される。この隙間２４には、後述の出隅ジョイナー２の縦辺部２１が挿入されるほか、地震発生時等、外壁が外力を受ける際に衝撃を吸収して側端部の損傷を防ぐ効果がある。
【００２５】
出隅ジョイナー２は、２つの外壁パネル１を短辺裏合いじゃくり部１３と長辺裏合いじゃくり部１２で接合するための役物であり、柱５１に沿って上下に延び、スペーサー２３を介してビス４により建物の柱５１に取り付けられる。横張りの外壁パネル１の短辺に形成される短辺裏合いじゃくり部１３と、縦張りの外壁パネル１の下辺に形成される長辺裏合いじゃくり部１２の間に挿入される縦辺部２１を有して構成されるとともに、両外壁パネル１の室内側に配置される。出隅ジョイナー２と両外壁パネル１との間には、シール材２２が配置され、出隅部の接合箇所からの雨水等の侵入を防止することができる。
【００２６】
出隅ジョイナー２は、上下方向に延びるとともに平面視で略Ｌ字状に構成される金属部品であり、図１に示すようにＬ字の角部外側に縦辺部２１を有する。縦辺部２１は上述のように、出隅を構成する２つの外壁パネル１の裏合いじゃくり部間に挿入されて固定され、第１出隅構造１００を構成する。またＬ字の両端部は外側に折り返すように突出しており、この突出部が外壁パネル１の室内側の面に当接されることで、出隅部の接合箇所から侵入した雨水等が壁面裏側奥深くまで侵入することを防止することができる。
【００２７】
次に、本実施形態の第１出隅構造１００を構成する手順について説明する。
【００２８】
図５は、本実施形態の第１出隅構造１００を構成する手順を説明するための図である。
まず、図５Ａに示すように、柱５１を含む内部構造５に胴縁６を取り付ける。上述したように、縦張りを行う面については横胴縁６１を取り付けておくことで、接合用部品３を固定して外壁パネル１を並べていくことができる。
【００２９】
次に、図５Ｂに示すように、出隅ジョイナー２を出隅部に取り付ける。また、外壁パネル１の取付を開始する出隅部の下辺に、パネルを安定して取り付けるためのスターター部材６２を合わせて取り付ける。
【００３０】
続いて図５Ｃに示すように、スターター部材６２に沿って縦張り、横張り各面の１枚目の外壁パネル１を取り付けることで、出隅部を形成する。
【００３１】
最後に図５Ｄに示すように、１枚目の外壁パネル１から順に、複数の外壁パネル１を接合して貼り付けていく。これにより、本実施形態の第１出隅構造１００が完成する。
【００３２】
以上、本発明の第１実施形態である第１出隅構造１００について説明した。第１出隅構造１００によれば、２つの平板状の外壁材で構成される建物外壁の出隅構造において、縦張りの構成を可能にするとともに、勝ち側の外壁パネル１の正面視において２つの外壁パネル１同士の継ぎ目が視認されず、建物外観の意匠性が向上する。さらに、１種の外壁パネル１で壁面の方向によって異なる意匠性を発現することができる。
【００３３】
＜第２実施形態＞
次に、本発明の第２実施形態について説明する。第２実施形態は、図６に示す建物外壁の第２出隅構造２００である。
【００３４】
第２出隅構造２００では、第１出隅構造１００において、出隅ジョイナー２とは形状が異なる出隅ジョイナー２０２を使用している。出隅ジョイナー２０２は出隅ジョイナー２と異なり、図６に示すように断面の略Ｌ字の直線部が内側に向けてコ字状に窪んだ縦溝部を形成している。上下に延びる出隅ジョイナー２０２の縦溝部は、侵入した雨水等を下方から外部へと排出する効果がある。
【００３５】
以上、本発明の実施形態について、例を挙げて説明したが、本発明は上記の実施形態に限定されるものではなく、上記の実施形態を変形・改良したものも本発明に含まれる。
【産業上の利用可能性】
【００３６】
本発明の構成は、窯業系サイディングの板状の外壁パネルを接合させる出隅構造において、広く適用することができる。
【符号の説明】
【００３７】
１      外壁パネル
１１    長辺表合いじゃくり部
１２    長辺裏合いじゃくり部
１３    短辺裏合いじゃくり部
２      出隅ジョイナー
２０２  出隅ジョイナー
２１    縦辺部
２２    シール材
２３    スペーサー
２４    シール材
３      接合用部品
４      ビス
５      内部構造
５１    柱
５２    内装
５３    断熱材
６      胴縁
６１    横胴縁
６２    スターター部材
７      平面ジョイナー
８      合板胴縁
９      平面ジョイナー
【図１】
2020125592.tif 000003
【図２】
2020125592.tif 000004
【図３】
2020125592.tif 000005
【図４】
2020125592.tif 000006
【図５】
2020125592.tif 000007
【図６】
2020125592.tif 000008